(57)【特許請求の範囲】
【請求項１】
複数個の電子部品を長手方向に分布するように保持テープに保持させた電子部品連がつづら折り状態で収納される収納箱であって、
一つの面が開口し、該開口から電子部品連が内部に収納される箱本体と、
前記開口から、箱本体内の電子部品連の上方に生じた隙間に挿入される取り外し可能な保持部材であって、箱本体内に収納される電子部品連の上面の主要部と接する板状当接部と、該板状当接部を電子部品連に向かって弾性的に付勢することにより、電子部品連を所定の姿勢に保持するとともに、電子部品連の高さに応じて板状当接部を上下方向に変位させる付勢部とを備えた保持部材と
を具備することを特徴とする電子部品連収納箱。
【請求項２】
前記保持部材の板状当接部と付勢部が、一枚のシート状材料から形成されていることを特徴とする請求項１記載の電子部品連収納箱。
【請求項３】
前記保持部材が、シート状材料を折り曲げるか又は丸めることにより、筒状（環状）に形成されており、かつ、その周方向の一部が、電子部品連の上面の主要部と接する板状当接部となるように構成されていることを特徴とする請求項１又は２記載の電子部品連収納箱。
【請求項４】
前記箱本体及び保持部材が、紙系のシート状材料から形成されていることを特徴とする請求項１〜３のいずれかに記載の電子部品連収納箱。
【請求項５】
前記保持部材を前記箱本体に固定するための固定手段を備えていることを特徴とする請求項１〜４のいずれかに記載の電子部品連収納箱。
【請求項６】
前記固定手段が粘着テープであることを特徴とする請求項５記載の電子部品連収納箱。
【請求項７】
請求項１〜６のいずれかに記載の電子部品連収納箱を用いたパッケージ構造であって、
前記箱本体内に、複数個の電子部品を長手方向に分布するように保持テープに保持させた電子部品連がつづら折り状態で収納されており、
箱本体内の電子部品連の上方に生じた隙間に挿入された前記保持部材の板状当接部が、箱本体内に収納された電子部品連の高さに応じてその上面の主要部と当接し、かつ、電子部品連に向かって弾性的に付勢されることにより、電子部品連が箱本体内に所定の姿勢で保持されていること
を特徴とする電子部品連のパッケージ構造。
【請求項８】
前記電子部品が、ラジアルリードを備えた電子部品であって、リードが保持テープの長手方向と直交するような姿勢で保持テープに保持されていることを特徴とする請求項７記載の電子部品連のパッケージ構造。
【請求項９】
複数個の電子部品を長手方向に分布するように保持テープに保持させた電子部品連がつづら折り状態で収納される収納箱であって、
一つの面が開口し、該開口から電子部品連が内部に収納される箱本体と、
前記箱本体の内部に設けられ、つづら折り状態にされた電子部品連の複数の折り曲げ部と係合して、電子部品連を所定の姿勢で保持する凹凸部を備えた係合保持部であって、前記収納箱を構成する板状部材の一部を、つづら折り状態にされた電子部品連の複数の折り曲げ部に対向する方向に、所定の折り曲げ線に沿って折り曲げる折り曲げ加工を行うとともに、前記折り曲げ線と略平行で、前記電子部品連の複数の折り曲げ部に対向する先端部に、電子部品連の複数の折り曲げ部と係合して電子部品連を所定の姿勢で保持する凹凸部を設けることにより形成され、前記所定の折り曲げ線に沿って折り曲げ加工された板状部材における折り曲げ加工部が弾性により元の形状に復元する際の復元力によって、前記凹凸部が、前記電子部品連の複数の折り曲げ部に向かって付勢されることにより、前記電子部品連の複数の折り曲げ部が前記凹凸部に保持されるように構成された係合保持部と
を具備することを特徴とする電子部品連収納箱。
【請求項１０】
複数個の電子部品を長手方向に分布するように保持テープに保持させた電子部品連がつづら折り状態で収納される収納箱であって、
一つの面が開口し、該開口から電子部品連が内部に収納される箱本体と、
前記箱本体の内部に設けられ、つづら折り状態にされた電子部品連の複数の折り曲げ部と係合して、電子部品連を所定の姿勢で保持する凹凸部を備えた係合保持部であって、前記収納箱を構成する板状部材の一部を、つづら折り状態にされた電子部品連の複数の折り曲げ部に対向する方向に、所定の折り曲げ線に沿って折り曲げる折り曲げ加工を行うとともに、前記折り曲げ線と略平行で、前記電子部品連の複数の折り曲げ部に対向する先端部に、電子部品連の複数の折り曲げ部と係合して電子部品連を所定の姿勢で保持する凹凸部を設けることにより形成され、前記所定の折り曲げ線に沿って折り曲げ加工された板状部材における折り曲げ加工部が弾性により元の形状に復元する際の復元力によって、前記凹凸部が、前記電子部品連の複数の折り曲げ部に向かって付勢されることにより、前記電子部品連の複数の折り曲げ部が前記凹凸部に保持されるように構成された係合保持部と、
前記開口から、箱本体内の電子部品連の上方に生じた隙間に挿入される取り外し可能な保持部材であって、箱本体内に収納される電子部品連の上面と当接して、電子部品連を所定の姿勢で箱本体内に保持する保持部材と
を具備することを特徴とする電子部品連収納箱。
【請求項１１】
複数個の電子部品を長手方向に分布するように保持テープに保持させた電子部品連をつづら折り状態にして収納するための収納箱であって、
一つの面が開口しているか、又は一つの面が開口し、かつ該開口が開閉可能に構成されたシート状材料からなる箱本体と、
箱本体の内部に設けられた、前記つづら折り状態にされた保持テープの複数の折り曲げ部と係合して、電子部品連を所定の姿勢で保持する凹凸部を備えた係合保持部と、
前記開口から、箱本体内の電子部品連の上方に生じた隙間に挿入される取り外し可能な保持部材であって、箱本体内に収納される電子部品連の上面の主要部と接する板状当接部と、該板状当接部を電子部品連に向かって弾性的に付勢することにより、電子部品連を所定の姿勢に保持するとともに、電子部品連の高さに応じて板状当接部を上下方向に変位させる付勢部とを備えた保持部材と
を具備することを特徴とする電子部品連収納箱。
【請求項１２】
前記保持部材の一部を箱本体に固定するための固定手段を備えていることを特徴とする請求項１０又は１１記載の電子部品連収納箱。
【請求項１３】
前記固定手段が粘着テープであることを特徴とする請求項１２記載の電子部品連収納箱。
【請求項１４】
前記係合保持部が、折り曲げ可能に構成されており、つづら折り状態にされた電子部品連を箱本体に収納した後、係合保持部を所定の形状に折り曲げることにより係合保持部の凹凸部が、電子部品連の複数の折り曲げ部と係合するように構成されていることを特徴とする請求項９〜１３のいずれかに記載の電子部品連収納箱。
【請求項１５】
前記箱本体に、前記係合保持部を折り曲げるための治具が挿入される挿入口が設けられていることを特徴とする請求項９〜１４のいずれかに記載の電子部品連収納箱。
【請求項１６】
請求項９，１４，１５のいずれかに記載の電子部品連収納箱を用いた電子部品連のパッケージ構造であって、
前記箱本体内に、複数個の電子部品を長手方向に分布するように保持テープに保持させた電子部品連がつづら折り状態で収納されており、
前記つづら折り状態にされた電子部品連の複数の折り曲げ部が、前記係合保持部の凹凸部と係合することにより、電子部品連が所定の姿勢で保持されていること
を特徴とする電子部品連のパッケージ構造。
【請求項１７】
請求項１０，１２，１３，１４，１５のいずれかに記載の電子部品連収納箱を用いたパッケージ構造であって、
前記箱本体内に、複数個の電子部品を長手方向に分布するように保持テープに保持させた電子部品連がつづら折り状態で収納されており、
前記つづら折り状態にされた保持テープの複数の折り曲げ部が、前記係合保持部の凹凸部と係合するとともに、
前記保持部材が、箱本体内に収納される電子部品連の上面と当接して、電子部品連が箱本体内に所定の姿勢で保持されていること
を特徴とする電子部品連のパッケージ構造。
【請求項１８】
請求項１１，１２，１３，１４，１５のいずれかに記載の電子部品連収納箱を用いたパッケージ構造であって、
前記箱本体内に、複数個の電子部品を長手方向に分布するように保持テープに保持させた電子部品連がつづら折り状態で収納されており、
前記つづら折り状態にされた保持テープの複数の折り曲げ部が、前記係合保持部の凹凸部と係合するとともに、
箱本体内の電子部品連の上方に生じた隙間に挿入された前記保持部材の板状当接部が、箱本体内に収納された電子部品連の高さに応じてその上面の主要部と当接し、かつ、電子部品連に向かって弾性的に付勢されることにより、電子部品連が箱本体内に所定の姿勢で保持されていること
を特徴とする電子部品連のパッケージ構造。
【発明の詳細な説明】
【０００１】
【発明の属する技術分野】
本願発明は、電子部品連を収納するための収納箱及び電子部品連のパッケージ構造に関し、詳しくは、電子部品連の保持性能や衝撃に対する緩衝性能の改良、向上に関するものである。
【０００２】
【従来の技術及び発明が解決しようとする課題】
代表的な電子部品連の一つに、例えば、図８に示すようないわゆるラジアルリードタイプの電子部品連８１がある。この電子部品連８１は、電子部品素子８０に２本のリード端子８２を取り付けた、いわゆるラジアルリードタイプの電子部品７９を、長手方向に所定の間隔をおいて保持テープ８６に保持させたものである。
【０００３】
なお、保持テープ８６は、粘着テープ８４と、粘着テープ８４により電子部品のリード端子８２が貼り付けられる台紙８５から形成されており、保持された電子部品７９を順次自動実装機に送って、基板などに自動的に装着することができるように、長手方向に所定の間隔をおいて送り穴（貫通孔）８３が形成されている。
【０００４】
このように、電子部品を保持テープに保持させて電子部品連とすることは、ラジアルリードタイプの電子部品に限られるものではなく、アキシャルリードタイプ（図示せず）の電子部品についても一般的に行われていることである。
【０００５】
ところで、このような電子部品連８１は、通常、図９に示すように、つづら折り状態としてダンボール箱などの収納箱９１に収納して出荷されており、電子部品連８１からの個々の電子部品７９の供給（取出し）は収納箱９１の上部面側の開口９１ａから順次電子部品連８１（保持テープ８６）を送り出すことにより行われる。
【０００６】
しかしながら、電子部品連８１を構成する電子部品７９の種類は多岐にわたり、形状や寸法が異なるため、電子部品連８１を収納箱９１に収納した場合、通常は、収納箱９１の上部に、図１０に示すように隙間９０が生じることになる。
そして、このような隙間９０が存在すると、電子部品連８１を搬送する際の振動や衝撃により、図１１に示すように、電子部品７９の倒れ８７、絡み８８、ずれ込み８９などが発生して、電子部品７９のリード端子８２に曲がりやねじれが生じ、自動実装機により電子部品を基板に装着することができなくなるという問題点がある。また、電子部品７９のリード端子８２に曲がりやねじれが生じた場合、自動実装機を止めて、手作業で修正することが必要になるため、生産効率が大幅に低下するという問題点がある。
【０００７】
そこで、従来は、図１２に示すように、この隙間９０を埋めるために、例えば、スポンジや発泡スチロールなどを詰物９２として充填する方法が提案されている。
【０００８】
しかしながら、上述のような従来の方法では、収納箱９１の隙間９０を完全に埋めることができなかったり、詰物９２に位置ずれが生じたりするため、電子部品連８１の保持が不十分になり、電子部品７９の倒れ、絡み、ずれ込みを完全に防止することは困難であるのが実情である。
【０００９】
また、スポンジや発泡スチロールなどは、リサイクルが困難であり、環境保護の見地からも、使用量を減らすことが求められている。
【００１０】
なお、電子部品７９のずれ込みは、図１３に示すように、寸法（厚み）の大きい電子部品７９（電子部品素子８０）を保持テープ８６に保持させた場合に、電子部品７９（電子部品素子８０）の厚みｔ１に対して保持テープ８６の厚みｔ２が薄いため、電子部品７９（電子部品素子８０）が積み重なったときに、保持テープ８６側が沈み込むことによっても生じるものであり、従来の電子部品連のパッケージ構造では、防止することが困難とされている。
【００１１】
本願発明は、上記問題点を解決するものであり、電子部品連を収納箱に収納するにあたって、収納箱内部の電子部品連で満たされない隙間を確実に埋め、輸送時の振動、衝撃などに起因する電子部品の倒れ、絡み、ずれ込みなどの発生を防止することが可能で、さらには、電子部品連が電子部品の重さにより片側方向へずれ込むことを抑制、防止することが可能な電子部品連収納箱及び電子部品連のパッケージ構造を提供することを目的とする。
【００１２】
【課題を解決するための手段】
上記目的を達成するために、本願発明（請求項１）の電子部品連収納箱は、
複数個の電子部品を長手方向に分布するように保持テープに保持させた電子部品連がつづら折り状態で収納される収納箱であって、
一つの面が開口し、該開口から電子部品連が内部に収納される箱本体と、
前記開口から、箱本体内の電子部品連の上方に生じた隙間に挿入される取り外し可能な保持部材であって、箱本体内に収納される電子部品連の上面の主要部と接する板状当接部と、該板状当接部を電子部品連に向かって弾性的に付勢することにより、電子部品連を所定の姿勢に保持するとともに、電子部品連の高さに応じて板状当接部を上下方向に変位させる付勢部とを備えた保持部材と
を具備することを特徴としている。
【００１３】
上述のように、箱本体内に収納される電子部品連の上面の主要部と接する板状当接部と、該板状当接部を電子部品連に向かって弾性的に付勢することにより、電子部品連を所定の姿勢に保持するとともに、電子部品連の高さに応じて板状当接部を上下方向に変位させる付勢部とを備えた保持部材を、箱本体内に挿入することにより、収納箱の隙間が埋められるとともに、保持部材の板状当接部と付勢部とがその機能を発揮することにより、電子部品連が箱本体内に安定して保持され、しかも、電子部品連の高さ（箱本体内に収容された状態での上面の高さ）が変動した場合にも、保持部材の付勢部により高さの変動が吸収されるため、板状当接部が安定して電子部品連の上面の主要部に接し、電子部品連を所定の姿勢に保持して、電子部品の倒れ、絡み、ずれ込みなどの発生を効率よく防止することができる。
【００１４】
また、請求項２の電子部品連収納箱は、前記保持部材の板状当接部と付勢部が、一枚のシート状材料から形成されていることを特徴としている。
【００１５】
板状当接部と付勢部を備えた保持部材を一枚のシート状材料から形成することにより、保持部材を一体の材料から容易に構成することが可能になり、本願発明をより実効あらしめることができる。
【００１６】
また、請求項３の電子部品連収納箱は、前記保持部材が、シート状材料を折り曲げるか又は丸めることにより、筒状（環状）に形成されており、かつ、その周方向の一部が、電子部品連の上面の主要部と接する板状当接部となるように構成されていることを特徴としている。
【００１７】
保持部材として、シート状材料を折り曲げるか又は丸めるかして筒状（環状）にし、周方向の一部を電子部品連の上面の主要部と接する板状当接部とすることにより、板状当接部の周方向両端部を付勢部として機能させることが可能になり、容易かつ確実に所望の機能を発揮する保持部材を構成することが可能になる。
【００１８】
また、請求項４の電子部品連収納箱は、前記箱本体及び保持部材が、紙系のシート状材料から形成されていることを特徴としている。
【００１９】
紙系のシート状材料（例えばダンボール紙など）で箱本体及び保持部材を形成することにより、廃棄後の燃焼処理などの工程において有害物質の発生する合成樹脂などの材料を用いることが不要になるため、環境保護の要請に応えることが可能になる。
【００２０】
また、請求項５の電子部品連収納箱は、前記保持部材を前記箱本体に固定するための固定手段を備えていることを特徴としている。
【００２１】
保持部材を固定手段により箱本体に固定するようにした場合、電子部品連がさらに確実に箱本体内に所定の姿勢で保持されるようにすることが可能になり、信頼性を向上させることが可能になる。
【００２２】
また、請求項６の電子部品連収納箱は、前記固定手段が粘着テープであることを特徴としている。
【００２３】
固定手段として粘着テープを用いることにより、保持部材を容易かつ確実に箱本体に固定することが可能になり、包装（梱包）の作業性を向上させるとともに、包装の信頼性を向上させることが可能になる。
【００２４】
また、本願発明（請求項７）の電子部品連のパッケージ構造は、
請求項１〜６のいずれかに記載の電子部品連収納箱を用いたパッケージ構造であって、
前記箱本体内に、複数個の電子部品を長手方向に分布するように保持テープに保持させた電子部品連がつづら折り状態で収納されており、
箱本体内の電子部品連の上方に生じた隙間に挿入された前記保持部材の板状当接部が、箱本体内に収納された電子部品連の高さに応じてその上面の主要部と当接し、かつ、電子部品連に向かって弾性的に付勢されることにより、電子部品連が箱本体内に所定の姿勢で保持されていること
を特徴としている。
【００２５】
請求項１〜６のいずれかに記載の電子部品連収納箱を用いて、電子部品連をパッケージングすることにより、収納箱内の電子部品連の上方に生じた隙間に保持部材が配設され、保持部材の板状当接部と付勢部とがその機能を発揮して、板状当接部が箱本体内に収納された電子部品連の高さに応じてその上面の主要部と当接するとともに、電子部品連に向かって弾性的に付勢されるため、電子部品連を箱本体内に安定して保持することが可能になり、電子部品の倒れや絡み、あるいはずれ込みなどの発生が効率よく防止されることになる。
【００２６】
また、請求項８の電子部品連のパッケージ構造は、前記電子部品が、ラジアルリードを備えた電子部品であって、リードが保持テープの長手方向と直交するような姿勢で保持テープに保持されていることを特徴としている。
【００２７】
ラジアルリードを備えた電子部品を保持テープに保持させた電子部品連においては、電子部品素子が保持テープの片側に位置するため、電子部品の倒れや絡み、あるいはずれ込みなどの発生が生じやすいが、これに本願発明を適用することにより、電子部品の倒れや絡み、あるいはずれ込みなどの発生を効率よく防止することが可能になり、有意義である。
【００２８】
また、本願発明（請求項９）の電子部品連収納箱は、
複数個の電子部品を長手方向に分布するように保持テープに保持させた電子部品連がつづら折り状態で収納される収納箱であって、
一つの面が開口し、該開口から電子部品連が内部に収納される箱本体と、
前記箱本体の内部に設けられ、つづら折り状態にされた電子部品連の複数の折り曲げ部と係合して、電子部品連を所定の姿勢で保持する凹凸部を備えた係合保持部であって、前記収納箱を構成する板状部材の一部を、つづら折り状態にされた電子部品連の複数の折り曲げ部に対向する方向に、所定の折り曲げ線に沿って折り曲げる折り曲げ加工を行うとともに、前記折り曲げ線と略平行で、前記電子部品連の複数の折り曲げ部に対向する先端部に、電子部品連の複数の折り曲げ部と係合して電子部品連を所定の姿勢で保持する凹凸部を設けることにより形成され、前記所定の折り曲げ線に沿って折り曲げ加工された板状部材における折り曲げ加工部が弾性により元の形状に復元する際の復元力によって、前記凹凸部が、前記電子部品連の複数の折り曲げ部に向かって付勢されることにより、前記電子部品連の複数の折り曲げ部が前記凹凸部に保持されるように構成された係合保持部と
を具備することを特徴としている。
【００２９】
請求項９の電子部品連収納箱は、箱本体と、箱本体の内部に設けられた、つづら折り状態にされた電子部品連の複数の折り曲げ部と係合して、電子部品連を所定の姿勢で保持する凹凸部を備えた係合保持部とを具備しており、箱本体に収納された電子部品連の複数の折り曲げ部が係合保持部により所定の姿勢で確実に保持されるため、電子部品の倒れや絡み、あるいはずれ込みなどの発生を効率よく防止することが可能になる。
また、係合保持部を、収納箱を構成する板状部材の一部を、つづら折り状態にされた電子部品連の複数の折り曲げ部に対向する方向に、所定の折り曲げ線に沿って折り曲げる折り曲げ加工を行うとともに、折り曲げ線と略平行で、電子部品連の複数の折り曲げ部に対向する先端部に、電子部品連の複数の折り曲げ部と係合して電子部品連を所定の姿勢で保持する凹凸部を設けることにより形成され、所定の折り曲げ線に沿って折り曲げ加工された板状部材における折り曲げ加工部が弾性により元の形状に復元する際の復元力によって、凹凸部が、電子部品連の複数の折り曲げ部に向かって付勢されることにより、電子部品連の複数の折り曲げ部が凹凸部に保持されるように構成することにより、電子部品連の複数の折り曲げ部を、係合保持部により所定の姿勢で確実に保持して、電子部品の倒れや絡み、あるいはずれ込みなどの発生を効率よく防止することが可能になる。
【００３０】
また、本願発明（請求項１０）の電子部品連収納箱は、
複数個の電子部品を長手方向に分布するように保持テープに保持させた電子部品連がつづら折り状態で収納される収納箱であって、
一つの面が開口し、該開口から電子部品連が内部に収納される箱本体と、
前記箱本体の内部に設けられ、つづら折り状態にされた電子部品連の複数の折り曲げ部と係合して、電子部品連を所定の姿勢で保持する凹凸部を備えた係合保持部であって、前記収納箱を構成する板状部材の一部を、つづら折り状態にされた電子部品連の複数の折り曲げ部に対向する方向に、所定の折り曲げ線に沿って折り曲げる折り曲げ加工を行うとともに、前記折り曲げ線と略平行で、前記電子部品連の複数の折り曲げ部に対向する先端部に、電子部品連の複数の折り曲げ部と係合して電子部品連を所定の姿勢で保持する凹凸部を設けることにより形成され、前記所定の折り曲げ線に沿って折り曲げ加工された板状部材における折り曲げ加工部が弾性により元の形状に復元する際の復元力によって、前記凹凸部が、前記電子部品連の複数の折り曲げ部に向かって付勢されることにより、前記電子部品連の複数の折り曲げ部が前記凹凸部に保持されるように構成された係合保持部と、
前記開口から、箱本体内の電子部品連の上方に生じた隙間に挿入される取り外し可能な保持部材であって、箱本体内に収納される電子部品連の上面と当接して、電子部品連を所定の姿勢で箱本体内に保持する保持部材と
を具備することを特徴としている。
【００３１】
請求項１０の電子部品連収納箱は、箱本体と、箱本体の内部に設けられた、つづら折り状態にされた電子部品連の複数の折り曲げ部と係合して、電子部品連を所定の姿勢で保持する凹凸部を備えた係合保持部と、箱本体内に収納される電子部品連の上面と当接して、電子部品連を所定の姿勢で箱本体内に保持する保持部材とを具備しており、箱本体に収納された電子部品連の複数の折り曲げ部が係合保持部により所定の姿勢で保持されるとともに、電子部品連の上面側が保持部材により保持されるため、電子部品の倒れ、絡み、ずれ込みなどの発生をより効率よく防止することが可能になる。
また、係合保持部を、収納箱を構成する板状部材の一部を、つづら折り状態にされた電子部品連の複数の折り曲げ部に対向する方向に、所定の折り曲げ線に沿って折り曲げる折り曲げ加工を行うとともに、折り曲げ線と略平行で、電子部品連の複数の折り曲げ部に対向する先端部に、電子部品連の複数の折り曲げ部と係合して電子部品連を所定の姿勢で保持する凹凸部を設けることにより形成され、所定の折り曲げ線に沿って折り曲げ加工された板状部材における折り曲げ加工部が弾性により元の形状に復元する際の復元力によって、凹凸部が、電子部品連の複数の折り曲げ部に向かって付勢されることにより、電子部品連の複数の折り曲げ部が凹凸部に保持されるように構成することにより、電子部品連の複数の折り曲げ部を、係合保持部により所定の姿勢で確実に保持して、電子部品の倒れや絡み、あるいはずれ込みなどの発生を効率よく防止することが可能になる。
【００３２】
また、本願発明（請求項１１）の電子部品連収納箱は、
複数個の電子部品を長手方向に分布するように保持テープに保持させた電子部品連をつづら折り状態にして収納するための収納箱であって、
一つの面が開口しているか、又は一つの面が開口し、かつ該開口が開閉可能に構成されたシート状材料からなる箱本体と、
箱本体の内部に設けられた、前記つづら折り状態にされた保持テープの複数の折り曲げ部と係合して、電子部品連を所定の姿勢で保持する凹凸部を備えた係合保持部と、
前記開口から、箱本体内の電子部品連の上方に生じた隙間に挿入される取り外し可能な保持部材であって、箱本体内に収納される電子部品連の上面の主要部と接する板状当接部と、該板状当接部を電子部品連に向かって弾性的に付勢することにより、電子部品連を所定の姿勢に保持するとともに、電子部品連の高さに応じて板状当接部を上下方向に変位させる付勢部とを備えた保持部材と
を具備することを特徴としている。
【００３３】
請求項１１の電子部品連収納箱は、箱本体と、箱本体の内部に設けられた、つづら折り状態にされた保持テープの複数の折り曲げ部と係合して、電子部品連を所定の姿勢で保持する凹凸部を備えた係合保持部と、電子部品連の上面の主要部と接し、電子部品連が箱本体内に安定して保持されるようにする板状当接部と、該板状当接部を電子部品連に向かって弾性的に付勢するとともに、板状当接部を電子部品連の高さに応じて、上下方向に移動可能とする付勢部とを有する保持部材とを備えているので、電子部品連が箱本体内に安定して保持され、しかも、電子部品連の高さ（箱本体内に収容された状態での上面の高さ）が変動した場合にも、保持部材の付勢部により高さの変動が吸収されるため、板状当接部が安定して電子部品連の上面の主要部に接し、電子部品連をより確実に所定の姿勢に保持することが可能になり、電子部品の倒れ、絡み、ずれ込みなどの発生がさらに効率よく防止されることになり、信頼性をより向上させることが可能になる。
【００３４】
また、請求項１２の電子部品連収納箱は、前記保持部材の一部を箱本体に固定するための固定手段を備えていることを特徴としている。
【００３５】
保持部材を固定手段により箱本体に固定するようにした場合、電子部品連がさらに確実に箱本体内に所定の姿勢で保持されるようにすることが可能になり、信頼性を向上させることが可能になる。
【００３６】
また、請求項１３の電子部品連収納箱は、前記固定手段が粘着テープであることを特徴としている。
【００３７】
固定手段として粘着テープを用いることにより、保持部材を容易かつ確実に箱本体に固定することが可能になり、包装（梱包）の作業性を向上させるとともに、包装の信頼性を向上させることが可能になる。
【００３８】
また、請求項１４の電子部品連収納箱は、前記係合保持部が、折り曲げ可能に構成されており、つづら折り状態にされた電子部品連を箱本体に収納した後、係合保持部を所定の形状に折り曲げることにより係合保持部の凹凸部が、電子部品連の複数の折り曲げ部と係合するように構成されていることを特徴としている。
【００３９】
係合保持部を、折り曲げ可能に構成し、つづら折り状態にされた電子部品連を箱本体に収納した後、係合保持部を所定の形状に折り曲げることにより係合保持部の凹凸部を、電子部品連の複数の折り曲げ部と係合させるようにした場合、電子部品連を容易に箱本体に収納することが可能になるととも、電子部品連の箱本体への収納後に、係合保持部を所定の形状、すなわち、凹凸部が保持テープの折り曲げ部と係合するような形状となるように折り曲げるだけで、電子部品連を所定の姿勢で保持することが可能になり、本願発明をさらに実効あらしめることができる。
【００４０】
また、請求項１５の電子部品連収納箱は、前記箱本体に、前記係合保持部を折り曲げるための治具が挿入される挿入口が設けられていることを特徴としている。
【００４１】
箱本体に、係合保持部を折り曲げるための治具が挿入される挿入口を形成しておくことにより、電子部品連を箱本体に収納するときに、係合保持部を治具で待避させて、電子部品連の収納を容易ならしめることが可能になるとともに、電子部品連の収納後に、治具を取り除いて係合保持部を所定の形状に変形させることにより、凹凸部を保持テープの折り曲げ部に係合させて、電子部品連が所定の姿勢で確実に保持されるようにすることが可能になる。
【００４２】
また、本願発明（請求項１６）の電子部品連のパッケージ構造は、
請求項９，１４，１５のいずれかに記載の電子部品連収納箱を用いた電子部品連のパッケージ構造であって、
前記箱本体内に、複数個の電子部品を長手方向に分布するように保持テープに保持させた電子部品連がつづら折り状態で収納されており、
前記つづら折り状態にされた電子部品連の複数の折り曲げ部が、前記係合保持部の凹凸部と係合することにより、電子部品連が所定の姿勢で保持されていること
を特徴としている。
【００４３】
請求項９，１４，１５のいずれかに記載の電子部品連収納箱を用いて、電子部品連をパッケージングすることにより、つづら折り状態にされた電子部品連の複数の折り曲げ部を、係合保持部の凹凸部と係合させて、電子部品連を所定の姿勢で箱本体内に確実に保持することが可能になる。
【００４４】
また、本願発明（請求項１７）電子部品連のパッケージ構造は、
請求項１０，１２，１３，１４，１５のいずれかに記載の電子部品連収納箱を用いたパッケージ構造であって、
前記箱本体内に、複数個の電子部品を長手方向に分布するように保持テープに保持させた電子部品連がつづら折り状態で収納されており、
前記つづら折り状態にされた保持テープの複数の折り曲げ部が、前記係合保持部の凹凸部と係合するとともに、
前記保持部材が、箱本体内に収納される電子部品連の上面と当接して、電子部品連が箱本体内に所定の姿勢で保持されていること
を特徴としている。
【００４５】
請求項１０，１２，１３，１４，１５のいずれかに記載の電子部品連収納箱は、箱本体と、箱本体の内部に設けられた、つづら折り状態にされた保持テープの複数の折り曲げ部と係合して、電子部品連を所定の姿勢で保持する凹凸部を備えた係合保持部と、箱本体内に収納される電子部品連の上面と当接して、電子部品連を所定の姿勢で箱本体内に保持する保持部材とを具備しており、箱本体に収納された電子部品連（保持テープ）の複数の折り曲げ部が係合保持部により所定の姿勢で保持されるとともに、電子部品連の上面側が保持部材により保持されるため、電子部品の倒れや絡み、あるいはずれ込みなどの発生をより効率よく防止することが可能になる。
【００４６】
また、本願発明（請求項１８）電子部品連のパッケージ構造は、
請求項１１，１２，１３，１４，１５のいずれかに記載の電子部品連収納箱を用いたパッケージ構造であって、
前記箱本体内に、複数個の電子部品を長手方向に分布するように保持テープに保持させた電子部品連がつづら折り状態で収納されており、
前記つづら折り状態にされた保持テープの複数の折り曲げ部が、前記係合保持部の凹凸部と係合するとともに、
箱本体内の電子部品連の上方に生じた隙間に挿入された前記保持部材の板状当接部が、箱本体内に収納された電子部品連の高さに応じてその上面の主要部と当接し、かつ、電子部品連に向かって弾性的に付勢されることにより、電子部品連が箱本体内に所定の姿勢で保持されていること
を特徴としている。
【００４７】
請求項１１，１２，１３，１４，１５のいずれかに記載の電子部品連収納箱を用いてパッケージングを行うことにより、保持部材の板状当接部と付勢部とがその機能を発揮し、電子部品連が箱本体内に安定して保持されるとともに、箱本体に収納された電子部品連（保持テープ）の複数の折り曲げ部が係合保持部により所定の位置に保持されるため、電子部品の倒れや絡み、あるいはずれ込みなどの発生を効率よく防止して、より信頼性の高い包装（梱包）を行うことが可能になる。
また、電子部品連の高さが変動した場合にも、保持部材の付勢部が電子部品連の高さの変動を吸収するため、より信頼性の高い包装（梱包）を行うことが可能になる。
【００４８】
【発明の実施の形態】
以下、本願発明の実施の形態を示して、その特徴とするところをさらに詳しく説明する。
【００４９】
図１〜７は、本願発明の一実施形態にかかる電子部品連収納箱及びそれを用いた電子部品連のパッケージ構造を説明するための図であり、図１は電子部品連収納箱を構成する箱本体の展開図、図２は組み立てた後の箱本体を示す図、図３(ａ)は保持部材の展開図、図３(ｂ)は組み立てた後の保持部材を示す図、図４は箱本体に電子部品連を収納した状態を示す図、図５は箱本体に電子部品連を収納した状態を示す平面図、図６は箱本体に電子部品連を収納した状態の要部を示す図、図７(ａ)，(ｂ)，(ｃ)は箱本体内に収納された電子部品連の上方に生じた隙間の変化に保持部材が対応している状態を示す図である。
【００５０】
この実施形態の電子部品連収納箱Ａ（図４）を構成する箱本体１０は、図１に示すような展開形状を有するシート状材料６６を折り曲げることにより形成されている。好ましいシート状材料６６として、典型的にはダンボール紙が用いられるが、他の材料を用いることも可能である。
【００５１】
なお、図１においては、折り曲げ線１３〜２８をそれぞれ破線で示している。  折り曲げ線１３〜２８は、折り曲げ加工を正確かつ容易に行うことができるように、ミシン目、または、適宜の型付け加工が施されている。シート状材料６６は、折り曲げ線１３〜２８によって、正面部３３、背面部３１、左側面部３０、右側面部３２、底面部３６となる領域に区画されている。また、シート状材料６６には、底面部３６から折り曲げ線２２を介して伸びる領域３８、６５、６４からなる係合保持部（サポータ）４０が形成されている。
【００５２】
このようなシート状材料６６を、折り線１３〜２８に沿って２７→２１→２６→２８→１９→１５→１４→１３→２２→２３→２４→２０→１６→１７→２５→１８の順に折り曲げることにより、図２に示す箱本体１０が形成される。
【００５３】
この箱本体１０は、図２に示すように、正面部３３と背面部３１が対向し、左側面部３０と右側面部３２が対向するとともに、左側面部３０の内側に側面部２９が重なるように構成されている。また、正面部３３、背面部３１、左側面部３０、右側面部３２に囲まれるように底面部３６が位置している。
さらに、折り曲げ線２１（図１）により底面部３６と区画された領域３７（図１）が正面部３３の内側に重なるように折り曲げられ、折り曲げ線２７により領域３７と区画された領域４１（図１）が背面部３１側に折られるとともに、箱本体１０の傾斜底部となる領域４１に設られた係止片６０、６１が背面部３１に設けられたスロット５６、５７に嵌合するように構成されている。
【００５４】
また、係合保持部４０は、領域３８、６５、６４を、折り曲げ線２２、２３、２４（図１）に沿って折り曲げるとともに、領域３８の係止用突出片５８を背面部３１のスロット５２にはめ込むことにより所定の位置、すなわち、箱本体１０の内側の右側面部３２の近傍に配設されている。
【００５５】
また、図２に示すように、係合保持部４０を構成する領域６５は、折り曲げ線２３（図１）に沿って折られ、正面部３３の内側に配置されてる。なお、電子部品連８１の複数の折り曲げ部８１ａ（図４，６など）を支えるジグザグ状の凹凸部６３が形成された領域６４は、折り曲げ線２４に沿って折り曲げられ、箱本体１０の内側に突出して、電子部品連８１の折り曲げ部８１ａと係合するように構成されている。
【００５６】
また、この実施形態では、箱本体１０の正面部３３に、係合保持部４０を折り曲げるための治具（棒状の部材など）が挿入される挿入口（貫通孔）６７が形成されている。
【００５７】
また、この実施形態における保持部材１００は、図３(ｂ)に示すように、平行四辺形に折り曲げ加工された部材であり、図３(ａ)に示すような略帯状の展開形状を有し、かつ、所定の位置にかみ合わせ用の切込み２、１１を形成したシート状材料１を折り曲げ、切込み２、１１を係合させることにより形成されている。また、この保持部材１００を構成するシート状材料１には、箱本体１０の上端４５、４６、４３、４９に当接する翼５、６、７、８が設けられている。
【００５８】
この保持部材１００は、箱本体１０の開口１０ａから箱本体１０内に、取り外し可能に挿入されるものであって、底面７０が、箱本体１０内に収納された電子部品連８１の上面の主要部と接し、図４に示すように、電子部品連８１を、箱本体１０内に所定の姿勢で保持する板状当接部として機能し、底面７０の両端部とつながる左右の側面部７１ａ，７１ｂ及び４つのコーナ部６９ａ，６９ｂ，６９ｃ，６９ｄが、底面（板状当接部）７０を電子部品連８１に向かって弾性的に付勢するとともに、底面（板状当接部）７０を電子部品連８１の高さに応じて、上下方向に移動可能とする付勢部５１として機能するように構成されている。
【００５９】
次に、この実施形態の電子部品連収納箱Ａを用いて電子部品連８１をパッケージングする方法について説明する。
電子部品連収納箱Ａを用いて電子部品連８１をパッケージングするにあたっては、まず、箱本体１０及び保持部材１００を組み立てる。
それから、箱本体１０の正面部３３の挿入口６７から折り曲げ加工用の棒状の治具（図示せず）を差し込み、図５に示すように、係合保持部４０を構成する領域３８，６５，６４が略コ字状になるように折り曲げた状態で、つづら折り状態に折り重ねた電子部品連８１を、図４に示すように箱本体１０に収納する。
なお、ここで収納の対象とした電子部品連８１は、図８に示すように、複数の電子部品７９を長手方向に所定の間隔をおいて、粘着テープ８４と台紙８５からなる保持テープ８６に保持させたものであり、図８については、従来の技術の欄ですでに説明を行っているので、ここでは重複を避けるため、説明を省略する。
【００６０】
次に、電子部品連８１を箱本体１０内に収納した後、折り曲げ手段を抜き取る。これにより、コ字状に折り曲げられた領域３８，６５，６４が、シート状材料６６の弾性によって、元の形状に戻ろうとし、図５，図６に示すように、領域６４の先端の凹凸部６３が電子部品連８１の折り曲げ部（図５，図６では、右側の折り曲げ部）８１ａと係合する。
【００６１】
このとき、保持している電子部品連８１の左側の折り曲げ部８１ｂは、箱本体１０の左側面部３０に当接し、電子部品連８１の重みによる電子部品７９（図５）の倒れ、絡み、ずれ込みなどが防止される。
【００６２】
それから、箱本体１０の内部の、電子部品連８１の上方に生じた隙間５０（図４）に、箱本体１０の開口１０ａから、保持部材１００を挿入し、底面（板状当接部）７０が、箱本体１０内に収納された電子部品連８１の上面の主要部に当接させる。
【００６３】
次に、保持部材１００を上方から押さえて、翼５、６、７、８を箱本体１０の上端４５、４６、４３、４９に当接させ、その状態で、２箇所にテープ７３、７４を貼り付けることにより、保持部材１００を箱本体１０に固定する。
なお、このとき、保持部材１００の左下の角６９ｂが箱本体１０の左側面部３０に当接し、底面７０（図４）が電子部品連８１の上面に当接した状態で、保持部材１００が、テープ７３，７４により箱本体１０に固定されることにより、平行四辺形の形状が保たれることになる。
【００６４】
上述のように、この実施形態の電子部品連収納箱Ａを用いて、電子部品連８１のパッケージングを行った場合、保持部材１００の底面（板状当接部）７０と、側面部７１ａ，７１ｂ及びコーナ部６９ａ〜６９ｄからなる付勢部５１がその機能を発揮し、板状当接部７０が電子部品連８１の上面と接するとともに、板状当接部７０が電子部品連８１に向かって付勢されることにより、電子部品連８１が箱本体１０内に所定の姿勢で安定して保持されるとともに、箱本体１０に収納された電子部品連８１の複数の折り曲げ部８１ａが係合保持部４０により保持されるため、電子部品７９（図５）の倒れ、絡み、ずれ込みなどの発生を効率よく防止して、信頼性の高い包装（梱包）を行うことができる。
【００６５】
また、電子部品連８１の高さが変動した場合にも、保持部材１００の付勢部５１が電子部品連８１の高さの変動を吸収するため、信頼性の高い包装（梱包）を行うことができる。
【００６６】
なお、図７は、電子部品連８１の高さの変動に対応して、保持部材１００が変形して、電子部品連８１の高さの変動を吸収している状態を示す図である。
すなわち、図７(ａ)は、電子部品連８１の高さが低い場合における収納状態を示しており、保持部材１００が略長方形になり、電子部品連８１の上方に生じる隙間５０を確実に埋めるとともに、その底面７０が電子部品連８１の上面と当接して、電子部品連８１を保持している状態を示している。
【００６７】
また、図７(ｂ)は、電子部品連８１の高さが通常である場合の収納状態を示しており、保持部材１００が平行四辺形になって、電子部品連８１の上方に生じる隙間５０を確実に埋めるとともに、その底面７０が電子部品連８１の上面と当接して、電子部品連８１を保持している状態を示している。
【００６８】
さらに、図７(ｃ)は電子部品連８１の高さが低い場合の収納状態を示しており、保持部材１００が偏平な平行四辺形に変形し、電子部品連８１の上方に生じる隙間５０を確実に埋めるとともに、その底面７０が電子部品連８１の上面と当接して、電子部品連８１を保持している状態を示している。
【００６９】
このように、保持部材１００が変形することにより、電子部品連８１の高さが変動した場合にも、電子部品連８１の上方に生じる隙間５０を確実に埋めるとともに、底面７０が電子部品連巻回体８１の上面と確実に当接して、電子部品連８１を確実に保持することができる。
【００７０】
すなわち、上記実施形態の電子部品連収納箱及びそれを用いたパッケージ構造からは、以下のような作用効果が得られる。
(1)保持部材１００及び凹凸部６３を備えた係合保持部４０により電子部品連８１を所定の姿勢で箱本体８０内に確実に保持することが可能になり、輸送時などにおける振動や衝撃から電子部品連８１を確実に保護するとともに、電子部品７９の倒れ、絡み、ずれ込みなどの発生を防止することができる。
(2)保持部材１００を構成する材料の機械的強度などを適切に選択することにより、効率よく、電子部品の倒れ、絡み、ずれ込みなどの発生を防止することができる。
(3)保持部材１００が、箱本体１０の開口１０ａを封止する蓋としても機能するため、箱本体の構成の簡略化、低コスト化を図ることが可能になる。また、箱本体から取り外し可能な保持部材が、蓋の機能も果たすように構成されているため、容易に開梱して、効率よく電子部品連を取り出すことができる。
ただし、蓋を備えた箱本体を用い、保持部材１００が挿入された箱本体１０の開口１０ａをさらに蓋により封止することにより、包装（梱包）の信頼性をさらに高めるように構成することも可能である。
(4)保持部材１００は、箱本体を構成する材料と同一材料で構成することが可能で、従来のように発泡スチロールやスポンジなどの別材料からなる保持部材（詰物）が不要になり、コストの低減を図ることが可能になるとともに、リサイクル可能なダンボール紙を使用することにより、環境保護に資することが可能になる。
(5)係合保持部４０が電子部品連８１のずれ込みを防止する機能を果たすため、電子部品連８１を最終端まで円滑に取り出すことが可能になり、自動実装機の稼働効率を向上させることができる。
【００７１】
なお、上記実施形態では、保持部材１００と係合保持部４０の両方を備えた電子部品連収納箱を例にとって説明したが、保持部材１００と係合保持部４０のいずれか一方のみを備えた構成とすることも可能である。
【００７２】
また、上記実施形態では、係合保持部４０を箱本体１０の右側に配設した場合を例にとって説明したが、係合保持部４０を箱本体１０の左側に配設するように構成することも可能である。また、係合保持部４０を箱本体１０の両側に配設するように構成することも可能である。
【００７３】
また、上記実施形態では、保持部材１００として、形状が平行四辺形のものを用いたが、板状当接部及び付勢部として機能する部分を備えている限りにおいて、他の種々の形状のものを用いることも可能であり、例えば、５角形以上の多角形、長円などの形状のものを用いることが可能である。
【００７４】
本願発明は、さらにその他の点においても上記実施形態に限定されるものではなく、発明の要旨の範囲内において、種々の応用、変形を加えることが可能である。
【００７５】
【発明の効果】
上述のように、本願発明（請求項１）の電子部品連収納箱は、箱本体内に収納される電子部品連の上面の主要部と接する板状当接部と、該板状当接部を電子部品連に向かって弾性的に付勢することにより、電子部品連を所定の姿勢に保持するとともに、電子部品連の高さに応じて板状当接部を上下方向に変位させる付勢部とを備えた保持部材を、箱本体内に挿入するようにしているので、収納箱の隙間が埋められるとともに、保持部材の板状当接部と付勢部とがその機能を発揮し、板状当接部が電子部品連の上面と接するとともに、板状当接部が電子部品連に向かって付勢されるため、電子部品連が箱本体内に安定して保持され、しかも、電子部品連の高さ（箱本体内に収容された状態での上面の高さ）が変動した場合にも、保持部材の付勢部により高さの変動が吸収されるため、板状当接部が安定して電子部品連の上面の主要部に接し、電子部品連が所定の姿勢に確実に保持される。したがって、電子部品の倒れ、絡み、ずれ込みなどの発生を効率よく防止することが可能になる。
【００７６】
また、請求項２の電子部品連収納箱のように、板状当接部と付勢部を備えた保持部材を一枚のシート状材料から形成するようにした場合、保持部材を一体の材料から容易に構成することが可能になり、本願発明をより実効あらしめることができる。
【００７７】
また、請求項３の電子部品連収納箱のように、保持部材として、シート状材料を折り曲げるか又は丸めるかして筒状（環状）にし、周方向の一部を電子部品連の上面の主要部と接する板状当接部とするようにした場合、板状当接部の周方向両端部を付勢部として機能させることが可能になり、容易かつ確実に所望の機能を発揮する保持部材を構成することができるようになる。
【００７８】
また、請求項４の電子部品連収納箱のように、紙系のシート状材料（例えばダンボール紙など）で箱本体及び保持部材を形成するようにした場合、廃棄後の燃焼処理などの工程において有害物質の発生する合成樹脂などの材料を用いることが不要になるため、環境保護の要請に応えることが可能になる。
【００７９】
また、請求項５の電子部品連収納箱のように、保持部材を固定手段により箱本体に固定するようにした場合、電子部品連がさらに確実に箱本体内に所定の姿勢で保持されるようにすることが可能になり、信頼性を向上させることができる。
【００８０】
また、請求項６の電子部品連収納箱のように、固定手段として粘着テープを用いるようにした場合、保持部材を容易かつ確実に箱本体に固定することが可能になり、包装（梱包）の作業性を向上させるとともに、包装の信頼性を向上させることが可能になる。
【００８１】
また、本願発明（請求項７）の電子部品連のパッケージ構造は、請求項１〜６のいずれかに記載の電子部品連収納箱を用いて、電子部品連をパッケージングするようにしており、収納箱内の電子部品連の上方に生じた隙間に保持部材が配設され、保持部材の板状当接部と付勢部とがその機能を発揮して、板状当接部が箱本体内に収納された電子部品連の高さに応じてその上面の主要部と当接するとともに、電子部品連に向かって弾性的に付勢されるため、電子部品連を箱本体内に安定して保持することが可能になり、電子部品の倒れや絡み、あるいはずれ込みなどの発生を効率よく防止することができる。
【００８２】
また、ラジアルリードを備えた電子部品を保持テープに保持させた電子部品連においては、電子部品素子が保持テープの片側に位置するため、電子部品の倒れや絡み、あるいはずれ込みなどの発生が生じやすいが、これに請求項８のように、本願発明を適用することにより、電子部品の倒れや絡み、あるいはずれ込みなどの発生を効率よく防止することが可能になり、有意義である。
【００８３】
また、本願発明（請求項９）の電子部品連収納箱は、箱本体と、箱本体の内部に設けられた、つづら折り状態にされた電子部品連の複数の折り曲げ部と係合して、電子部品連を所定の姿勢で保持する凹凸部を備えた係合保持部とを具備しており、箱本体に収納された電子部品連の複数の折り曲げ部が係合保持部により所定の姿勢で確実に保持されるため、電子部品の倒れや絡み、あるいはずれ込みなどの発生を効率よく防止することができる。
また、係合保持部を、収納箱を構成する板状部材の一部を、つづら折り状態にされた電子部品連の複数の折り曲げ部に対向する方向に、所定の折り曲げ線に沿って折り曲げる折り曲げ加工を行うとともに、折り曲げ線と略平行で、電子部品連の複数の折り曲げ部に対向する先端部に、電子部品連の複数の折り曲げ部と係合して電子部品連を所定の姿勢で保持する凹凸部を設けることにより形成され、所定の折り曲げ線に沿って折り曲げ加工された板状部材における折り曲げ加工部が弾性により元の形状に復元する際の復元力によって、凹凸部が、電子部品連の複数の折り曲げ部に向かって付勢されることにより、電子部品連の複数の折り曲げ部が凹凸部に保持されるように構成することにより、電子部品連の複数の折り曲げ部を、係合保持部により所定の姿勢で確実に保持して、電子部品の倒れや絡み、あるいはずれ込みなどの発生を効率よく防止することができる。
【００８４】
また、本願発明（請求項１０）の電子部品連収納箱は、箱本体と、箱本体の内部に設けられた、つづら折り状態にされた電子部品連の複数の折り曲げ部と係合して、電子部品連を所定の姿勢で保持する凹凸部を備えた係合保持部と、箱本体内に収納される電子部品連の上面と当接して、電子部品連を所定の姿勢で箱本体内に保持する保持部材とを具備しており、箱本体に収納された電子部品連の複数の折り曲げ部が係合保持部により所定の姿勢で保持されるとともに、電子部品連の上面側が保持部材により保持されるため、電子部品の倒れ、絡み、ずれ込みなどの発生をより効率よく防止することができる。
また、係合保持部を、収納箱を構成する板状部材の一部を、つづら折り状態にされた電子部品連の複数の折り曲げ部に対向する方向に、所定の折り曲げ線に沿って折り曲げる折り曲げ加工を行うとともに、折り曲げ線と略平行で、電子部品連の複数の折り曲げ部に対向する先端部に、電子部品連の複数の折り曲げ部と係合して電子部品連を所定の姿勢で保持する凹凸部を設けることにより形成され、所定の折り曲げ線に沿って折り曲げ加工された板状部材における折り曲げ加工部が弾性により元の形状に復元する際の復元力によって、凹凸部が、電子部品連の複数の折り曲げ部に向かって付勢されることにより、電子部品連の複数の折り曲げ部が凹凸部に保持されるように構成することにより、電子部品連の複数の折り曲げ部を、係合保持部により所定の姿勢で確実に保持して、電子部品の倒れや絡み、あるいはずれ込みなどの発生を効率よく防止することができる。
【００８５】
また、本願発明（請求項１１）の電子部品連収納箱は、箱本体と、係合保持部と、保持部材を備えており、かつ、保持部材が、電子部品連の上面の主要部と接し、電子部品連が箱本体内に安定して保持されるようにする板状当接部と、該板状当接部を電子部品連に向かって弾性的に付勢するとともに、板状当接部を電子部品連の高さに応じて、上下方向に移動可能とする付勢部とを有するものであることから、電子部品連が箱本体内に安定して保持され、しかも、電子部品連の高さが変動した場合にも、保持部材の付勢部により高さの変動が吸収されるため、電子部品連をより確実に所定の姿勢に保持することが可能になり、電子部品の倒れ、絡み、ずれ込みなどの発生がさらに効率よく防止されることになり、信頼性をより向上させることができる。
【００８６】
また、請求項１２の電子部品連収納箱のように、保持部材を固定手段により箱本体に固定するようにした場合、電子部品連がさらに確実に箱本体内に所定の姿勢で保持されるようにすることが可能になり、信頼性を向上させることができる。
【００８７】
また、請求項１３の電子部品連収納箱のように、固定手段として粘着テープを用いることにより、保持部材を容易かつ確実に箱本体に固定することが可能になり、包装（梱包）の作業性を向上させるとともに、包装の信頼性を向上させることができる。
【００８８】
また、請求項１４の電子部品連収納箱のように、係合保持部を、折り曲げ可能に構成し、つづら折り状態にされた電子部品連を箱本体に収納した後、係合保持部を所定の形状に折り曲げることにより係合保持部の凹凸部を、電子部品連の複数の折り曲げ部と係合させるようにした場合、電子部品連を容易に箱本体に収納することが可能になるととも、電子部品連の箱本体への収納後に、係合保持部を所定の形状、すなわち、凹凸部が保持テープの折り曲げ部と係合するような形状となるように折り曲げるだけで、電子部品連を所定の姿勢で保持することができる。
【００８９】
また、請求項１５の電子部品連収納箱のように、箱本体に、係合保持部を折り曲げるための治具が挿入される挿入口を形成しておくようにした場合、係合保持部を容易に所定の形状に折り曲げて、凹凸部を電子部品連の折り曲げ部と係合させ、電子部品連を所定の姿勢で保持することが可能になる。
【００９０】
また、本願発明（請求項１６）の電子部品連のパッケージ構造は、請求項９，１４，１５のいずれかに記載の電子部品連収納箱を用いて、電子部品連をパッケージングするようにしているので、つづら折り状態にされた保持テープの複数の折り曲げ部を、係合保持部の凹凸部と係合させて、電子部品連を所定の姿勢で箱本体内に確実に保持することができる。
【００９１】
また、本願発明（請求項１７）電子部品連のパッケージ構造において用いられている請求項１０，１２，１３，１４，１５のいずれかに記載の電子部品連収納箱は、箱本体と、箱本体の内部に設けられた、つづら折り状態にされた保持テープの複数の折り曲げ部と係合して、電子部品連を所定の姿勢で保持する凹凸部を備えた係合保持部と、箱本体内に収納される電子部品連の上面と当接して、電子部品連を所定の姿勢で箱本体内に保持する保持部材とを具備しているので、箱本体に収納された電子部品連（保持テープ）の複数の折り曲げ部が係合保持部により所定の姿勢で保持されるとともに、電子部品連の上面側が保持部材により保持されるため、電子部品の倒れや絡み、あるいはずれ込みなどの発生をより効率よく防止することができる。
【００９２】
また、本願発明（請求項１８）電子部品連のパッケージ構造は、請求項１１，１２，１３，１４，１５のいずれかに記載の電子部品連収納箱を用いてパッケージングを行うようにしているので、保持部材の板状当接部と付勢部とがその機能を発揮し、電子部品連が箱本体内に安定して保持されるとともに、箱本体に収納された電子部品連（保持テープ）の複数の折り曲げ部が係合保持部により所定の位置に保持されるため、電子部品の倒れや絡み、あるいはずれ込みなどの発生を効率よく防止して、より信頼性の高い包装（梱包）を行うことができる。また、電子部品連の高さが変動した場合にも、保持部材の付勢部が電子部品連の高さの変動を吸収するため、より信頼性の高い包装（梱包）を行うことが可能になる。
【図面の簡単な説明】
【図１】  本願発明の一実施形態にかかる電子部品連収納箱を構成する箱本体の展開図である。
【図２】  本願発明の一実施形態にかかる電子部品連収納箱を構成する箱本体（組み立てた後の箱本体）を示す図である。
【図３】  (ａ)は本願発明の一実施形態にかかる電子部品連収納箱において用いられている保持部材の展開図、(ｂ)は組み立てた後の保持部材を示す図である。
【図４】  本願発明の一実施形態にかかる電子部品連収納箱の箱本体に電子部品連を収納した状態を示す図である。
【図５】  本願発明の一実施形態にかかる電子部品連収納箱の箱本体に電子部品連を収納した状態を示す平面図である。
【図６】  本願発明の一実施形態にかかる電子部品連収納箱の箱本体に電子部品連を収納した状態の要部を示す図である。
【図７】  (ａ)，(ｂ)，(ｃ)はいずれも本願発明の一実施形態にかかる電子部品連収納箱の箱本体に収納された電子部品連の上方に生じた隙間の変化に保持部材が対応している状態を示す図である。
【図８】  代表的な電子部品連の構成を示す図である。
【図９】  従来の電子部品連のパッケージ構造を示す図である。
【図１０】  従来の電子部品連のパッケージ構造を示す図（正面図）である。
【図１１】  従来の電子部品連のパッケージ構造を角度を変えて示す図（側面図）である。
【図１２】    従来の電子部品連のパッケージ構造において、電子部品連の上方の隙間を埋める方法を示す図である。
【図１３】  寸法（厚み）の大きい電子部品を保持テープに保持させた電子部品連を示す図である。
【符号の説明】
Ａ                電子部品連収納箱
１                保持部材用のシート状材料
１０              箱本体
１０ａ            箱本体の開口
１３〜２８        折り曲げ線
２９              側面部
３０              左側側面部
３１              背面部
３２              右側面部
３３              正面部
３６              底面部
４０              係合保持部
５０              隙間
５１              付勢部
６３              ジグザグ状の凹凸部
６６              箱本体用のシート状材料
６７              挿入口
６９ａ，６９ｂ，６９ｃ，６９ｄ    保持部材のコーナ部
７０              保持部材の底面（板状当接部）
７１ａ，７１ｂ    保持部材の側面部
７９              電子部品
８０              電子部品素子
８１              電子部品連
８２              リード端子
８３              送り穴（貫通穴）
８１ａ，８１ｂ    電子部品連の折り曲げ部
８４              粘着テープ
８５              台紙
８６              保持テープ
１００            保持部材
【図１】
0003780818.tif 000002
【図２】
0003780818.tif 000003
【図３】
0003780818.tif 000004
【図４】
0003780818.tif 000005
【図５】
0003780818.tif 000006
【図６】
0003780818.tif 000007
【図７】
0003780818.tif 000008
【図８】
0003780818.tif 000009
【図９】
0003780818.tif 000010
【図１０】
0003780818.tif 000011
【図１１】
0003780818.tif 000012
【図１２】
0003780818.tif 000013
【図１３】
0003780818.tif 000014